(57)【特許請求の範囲】
【請求項１】
端子が収納されるインナハウジングと該インナハウジングを包囲するアウタハウジングとを備えたハウジングと、
該ハウジングに収納され前記端子を包囲するシールドシェルと、
前記ハウジングの一方の面に開口する開口部と、
該開口部から前記一方の面と反対側の他方の面側に向けて延設され前記シールドシェルが収納されるシールドシェル収納部と、
前記ハウジングの他方の面に形成され前記インナハウジングと前記アウタハウジングとを連結し前記シールドシェルが前記開口部から前記シールドシェル収納部に収納された状態で前記シールドシェルの収納方向端部と当接する突き当て部と、
を有することを特徴とするシールドコネクタ。
【請求項２】
請求項１記載のシールドコネクタであって、
前記ハウジングに対して前記他方の面側から嵌合される相手ハウジングと、
該相手ハウジングに収納され前記ハウジングと前記相手ハウジングとが嵌合した状態で前記端子と電気的に接続される相手端子と、
該相手端子を包囲する相手シールドシェルとを備え、
前記ハウジングは、前記シールドシェル収納部の内側に形成され前記他方の面に開口した相手ハウジング収納部が形成されていることを特徴とするシールドコネクタ。
【請求項３】
請求項２記載のシールドコネクタであって、
前記シールドシェル収納部には切欠部が形成され、前記シールドシェルには弧状に内側に膨出する弾性接触部が形成され、前記ハウジングと前記相手ハウジングとが嵌合した状態で、前記切欠部から前記弾性接触部が前記相手ハウジング収納部内に突出され、前記弾性接触部と前記相手シールドシェルとが接触されることを特徴とするシールドコネクタ。
【発明の詳細な説明】
【技術分野】
【０００１】
本発明は、シールドコネクタに関する。
【背景技術】
【０００２】
従来、端子が収容されたハウジングに対して端子を包囲するシールドシェルを収納したシールドコネクタとしては、ハウジング内に端子金具を収容し、端子金具を包囲するシールドシェルをハウジングに設け、端子金具から発せられるノイズがハウジング外へ漏出するのを規制したシールドコネクタが記載されている（例えば、特許文献１参照）。
【０００３】
ところで、従来のシールドコネクタでは、ハウジングがインナハウジングとアウタハウジングとの二重構造にされており、インナハウジングとアウタハウジングとの間に設けた収容空間内にシールドシェルが挿入されている。この収容空間内には、インナハウジングとアウタハウジングとの連結部が存在するため、シールドシェルには連結部との干渉を回避させる切欠部を形成することが必要であった。
【０００４】
ところが、シールドシェルに切欠部が形成されている場合、端子金具から発せられたノイズが切欠部を通してハウジングの外部へ漏洩されることが懸念されていた。そこで、上記のシールドコネクタでは、シールドシェルの内面に複数の凹凸部で形成されたノイズ吸収手段を設けることにより、シールドシェルにおけるノイズの吸収率を向上させている。
【特許文献１】特開２００６−２０２５７３号公報
【発明の開示】
【発明が解決しようとする課題】
【０００５】
しかしながら、上記のシールドコネクタでは、シールドシェルのノイズ吸収率を向上させてはいるが、シールドシェルには複数の切欠部が形成されたままである。このため、シールドシェル自体の強度が低下すると共に、切欠部と切欠部との間に存在する肉部がシールドシェルの内部側に倒れる内倒れを起こし易くなってしまう。
【０００６】
このような内倒れを起こしてしまうと、ハウジングと嵌合する相手ハウジングとの間にガタつきを生じ、ハウジングと相手ハウジングとの嵌合時に挿入力が変動してしまう。
【０００７】
そこで、この発明は、シールドシェルの強度を向上することができると共に、ハウジングの嵌合における挿入力を一定に保持することができるシールドコネクタの提供を目的としている。
【課題を解決するための手段】
【０００８】
請求項１記載のシールドコネクタは、端子が収納されるインナハウジングと該インナハウジングを包囲するアウタハウジングとを備えたハウジングと、該ハウジングに収納され前記端子を包囲するシールドシェルと、前記ハウジングの一方の面に開口する開口部と、該開口部から前記一方の面と反対側の他方の面側に向けて延設され前記シールドシェルが収納されるシールドシェル収納部と、前記ハウジングの他方の面に形成され前記インナハウジングと前記アウタハウジングとを連結し前記シールドシェルが前記開口部から前記シールドシェル収納部に収納された状態で前記シールドシェルの収納方向端部と当接する突き当て部とを有することを特徴とする。
【０００９】
請求項２記載の発明は、請求項１記載のシールドコネクタであって、前記ハウジングに対して前記他方の面側から嵌合される相手ハウジングと、該相手ハウジングに収納され前記ハウジングと前記相手ハウジングとが嵌合した状態で前記端子と電気的に接続される相手端子と、該相手端子を包囲する相手シールドシェルとを備え、前記ハウジングは、前記シールドシェル収納部の内側に形成され前記他方の面に開口した相手ハウジング収納部が形成されていることを特徴とする。
【００１０】
請求項３記載の発明は、請求項２記載のシールドコネクタであって、前記シールドシェル収納部には切欠部が形成され、前記シールドシェルには弧状に内側に膨出する弾性接触部が形成され、前記ハウジングと前記相手ハウジングとが嵌合した状態で、前記切欠部から前記弾性接触部が前記相手ハウジング収納部内に突出され、前記弾性接触部と前記相手シールドシェルとが接触されることを特徴とする。
【発明の効果】
【００１１】
請求項１のシールドコネクタは、シールドシェルが開口部からシールドシェル収納部に収納された状態でシールドシェルの収納方向端部と当接する突き当て部がインナハウジングとアウタハウジングとを連結しているので、シールドシェル収納部内にインナハウジングとアウタハウジングとの連結部を設ける必要がない。このため、シールドシェルに連結部との干渉を回避させる切欠部を設ける必要がない。
【００１２】
従って、シールドシェルの強度を向上することができると共に、複数の切欠部を形成することに起因する内倒れを防止することができ、ハウジングの嵌合における挿入力を一定に保持することができる。
【００１３】
また、シールドシェルに複数の切欠部を設けた場合、シールドシェルの帯電時に切欠部が設けられた部分で電流の流れが乱れシールド磁場形成に影響を与えるが、シールドシェルに複数の切欠部を設ける必要がないので、電流の整流性を向上することができ、シールド性能を向上することができる。
【００１４】
請求項２のシールドコネクタは、ハウジングにはシールドシェル収納部の内側に形成され他方の面に開口した相手ハウジング収納部が形成されているので、インナハウジングとアウタハウジングとを連結させる突き当て部と相手ハウジングとが干渉することがない。
【００１５】
請求項３のシールドコネクタは、ハウジングと相手ハウジングとが嵌合した状態で相手シールドシェルと接触するシールドシェルの弾性接触部が弧状に内側に膨出する形状で形成されているので、シールドシェルに片持ち状に形成された接触部よりも相手シールドシェルとの接圧を高くすることができ、接触信頼性を向上することができる。
【００１６】
また、弾性接触部が弧状に形成されているので、凸状に形成された接触部よりも相手シールドシェルとの接触面積（接触機会）を多くすることができ、さらに接触信頼性を向上することができる。
【発明を実施するための最良の形態】
【００１７】
図１〜図１０を用いて本発明の実施の形態に係るシールドコネクタについて説明する。
【００１８】
本実施の形態のシールドコネクタ１は、端子としての雌端子３が収納されるインナハウジング５とインナハウジング５を包囲するアウタハウジング７とを備えたハウジングとしての雌ハウジング９と、雌ハウジング９に収納され雌端子３を包囲するシールドシェル１１と、雌ハウジング９の一方の面１３に開口する開口部１５と、開口部１５から一方の面１３と反対側の他方の面１７側に向けて延設されシールドシェル１１が収納されるシールドシェル収納部１９と、雌ハウジング９の他方の面１７に形成されインナハウジング５とアウタハウジング７とを連結しシールドシェル１１が開口部１５からシールドシェル収納部１９に収納された状態でシールドシェル１１の収納方向端部と当接する突き当て部２１とを有する。
【００１９】
また、雌ハウジング９に対して他方の面１７側から嵌合される相手ハウジングとしての雄ハウジング２３と、雄ハウジング２３に収納され雌ハウジング９と雄ハウジング２３とが嵌合した状態で雌端子３と電気的に接続される相手端子としての雄端子（不図示）と、雄端子を包囲する相手シールドシェルとしての雄側シールドシェル２５とを備え、雌ハウジング９は、シールドシェル収納部１９の内側に形成され他方の面１７に開口した相手ハウジング収納部としての雄ハウジング収納部２７が形成されている。
【００２０】
さらに、シールドシェル収納部１９には切欠部２９が形成され、シールドシェル１１には弧状に内側に膨出する弾性接触部３１が形成され、雌ハウジング９と雄ハウジング２３とが嵌合した状態で、切欠部２９から弾性接触部３１が雄ハウジング収納部２７内に突出され、弾性接触部３１と雄側シールドシェル２５とが接触される。
【００２１】
図１〜図１０に示すように、シールドコネクタ１は、雌ハウジング９と、パッキン３３と、シールドシェル１１と、係止部材３５と、シールドリング３７と、雄ハウジング２３とを備えている。
【００２２】
雌ハウジング９は、インナハウジング５とアウタハウジング７とを備えている。インナハウジング５は、円筒状に形成され、内部に雌端子３を収容する端子収容室３９が複数（ここでは３つ）設けられている。雌端子３は、一側に雄端子が挿入される端子接触部４１と他側に電線（不図示）が接続される電線固定部４３とが形成されている。この雌端子３は、端子接触部４１側から端子収容室３９に挿入され、雌ハウジング９の一方の面１３側から電線が雌ハウジング９の外部に引き出されている。端子収容室３９は、雌ハウジング９の一方の面１３と他方の面１７とが開口しており、一方の面１３側の開口から雌端子３が挿入され、他方の面１７側の開口から雄端子が挿入されて雌端子３と雄端子とが電気的に接続される。また、端子収容室３９には、雌端子３と係合して雌端子３の抜け止めを行う係止部（不図示）が形成されている。このインナハウジング５の外周側には、アウタハウジング７がインナハウジング５と連続する一部材として設けられている。
【００２３】
アウタハウジング７は、環状に形成され、インナハウジング５を包囲するように設けられている。また、アウタハウジング７の外周の一部には、係止部材３５を収納する係止部材収納部４５が形成されている。係止部材収納部４５は、雌ハウジング９の一方の面１３と他方の面１７とが開口しており、一方の面１３側の開口から係止部材３５が挿入され、他方の面１７側の開口から雄ハウジング２３の係止部６５が挿入されて係止部材３５と係止部６５とが係止される。また、係止部材収納部４５には、係止部材３５と雄ハウジング２３の係止部６５とが係止することによって雌ハウジング９と雄ハウジング２３とを係止させる係止突起４７が形成されている。このアウタハウジング７とインナハウジング５との間には、雄ハウジング収納部２７とシールドシェル収納部１９とが設けられている。
【００２４】
雄ハウジング収納部２７は、端子収容室３９の外周側に環状に形成され、開口部４９と壁部５１とを備えている。開口部４９は、雌ハウジング９の他方の面１７に開口されている。壁部５１は、開口部４９から一方の面１３側に向けて延設された雄ハウジング収納部２７の底部となっている。この壁部５１は、インナハウジング５とアウタハウジング７とを一体的に連結する連結部となっている。この雄ハウジング収納部２７は、開口部４９から雄ハウジング２３が挿入され、雄ハウジング２３の嵌合方向端部が壁部５１と当接することにより、雄ハウジング２３が雌ハウジング９に対して正規位置に配置される。また、雄ハウジング収納部２７の外周側には、シールドシェル収納部１９が設けられている。
【００２５】
シールドシェル収納部１９は、雄ハウジング収納部２７の外周側に環状に形成され、開口部１５と突き当て部２１とを備えている。開口部１５は、雌ハウジング９の一方の面１３に開口されている。突き当て部２１は、開口部１５から他方の面１７側に向けて延設されたシールドシェル収納部１９の底部となっている。この突き当て部２１は、雄ハウジング収納部２７の壁部５１と共にインナハウジング５とアウタハウジング７とを一体的に連結する連結部となっている。このシールドシェル収納部１９は、開口部１５からシールドシェル１１が挿入され、シールドシェル１１の収納方向端部が突き当て部２１と当接することにより、シールドシェル１１が雌ハウジング９に対して正規位置に配置される。また、シールドシェル収納部１９の開口部１５側には、シールドシェル１１の弾性接触部３１を雄ハウジング収納部２７内部に突出させる切欠部２９が複数（ここでは４つ）形成されている。
【００２６】
このようにインナハウジング５とアウタハウジング７とを壁部５１と突き当て部２１とで連続する一部材として連結することにより、雄ハウジング収納部２７とシールドシェル収納部１９との内部にインナハウジング５とアウタハウジング７との連結部を設ける必要がない。
【００２７】
パッキン３３は、雌ハウジング９の他方の面１７側の開口部４９から雄ハウジング収納部２７内に挿入される。このパッキン３３は、雌ハウジング９と雄ハウジング２３とが嵌合した状態で雌ハウジング９と雄ハウジング２３との間をシールすることにより、雌ハウジング９及び雄ハウジング２３の内部を防水している。
【００２８】
シールドシェル１１は、金属材料を筒状に成形して形成され、大径部５３と小径部５５とを備えている。大径部５３は、雌ハウジング９の一方の面１３側の開口部１５からシールドシェル収納部１９内に挿入され、端子収容室３９を包囲して雌端子３から雌ハウジング９外部へのノイズの漏洩を防止している。この大径部５３の開口側には、弾性接触部３１が複数（ここでは４つ）形成されている。弾性接触部３１は、シールドシェル１１の内側に膨出して弧状に形成されている。この弾性接触部３１は、シールドシェル１１がシールドシェル収納部１９に収納された状態で切欠部２９から雄ハウジング収納部２７内に突出される。また、大径部５３の開口側には、係止部を避けるための避け部５７と誤結防止用のリブ５９が設けられている。小径部５５の内周側には、雌端子３に接続された電線が挿通され、外周側には電線の外周に設けられたシールド編組（不図示）が組付けられる。
【００２９】
このようにシールドシェル１１には、インナハウジング５とアウタハウジング７との連結部を避ける切欠部を設ける必要がないので、シールドシェル１１の帯電時に電流の流れを阻害する部位が少なく、図１０に示す矢印のように、シールドシェル１１における電流の整流性を向上することができる。
【００３０】
係止部材３５は、係合部６１と操作部６３とを備えている。係合部６１は、雌ハウジング９と雄ハウジング２３とが嵌合した状態で雌ハウジング９の一方の面１３側の開口から係止部材収納部４５に係止部材３５を挿入することにより、雄ハウジング２３の係止部６５と雌ハウジング９の係止突起４７とに係合して雌ハウジング９と雄ハウジング２３とを係止させる。操作部６３は、雌ハウジング９と雄ハウジング２３とが係止した状態で係止部材収納部４５の上面に設けられた切欠部から外部に露出されている。この操作部６３を操作することにより係合部６１の係合が解除され、雌ハウジング９と雄ハウジング２３との係止状態が解除される。
【００３１】
シールドリング３７は、環状の形成され、シールドシェル１１の小径部５５の外周に組付けられる。このシールドリング３７は、シールドシェル１１の小径部５５の外周に設けられたシールド編組を小径部５５とで挟み込みシールドシェル１１とシールド編組とを導通させる。
【００３２】
雄ハウジング２３は、筒状に形成され、外周の一部に係止部６５が設けられ、内部に雄端子が収納されている。係止部６５は、環状に形成され、雌ハウジング９と雄ハウジング２３とが嵌合した状態で係止部材３５の係合部６１が挿通されて係止部材３５と係合される。雄端子は、雄ハウジング２３を雌ハウジング９と嵌合することにより、雌ハウジング９に収納された雌端子３と電気的に接続される。また、雄ハウジング２３の外周側には、雄側シールドシェル２５が組付けられている。雄側シールドシェル２５は、雄端子を包囲して雄端子から雄ハウジング２３外部へのノイズの漏洩を防止している。この雄側シールドシェル２５は、雄ハウジング２３を雌ハウジング９の雄ハウジング収納部２７に挿入することにより、雄ハウジング収納部２７内に突出されたシールドシェル１１の弾性接触部３１と接触し、シールドシェル１１と導通される。
【００３３】
このようなシールドコネクタ１では、シールドシェル１１が開口部１５からシールドシェル収納部１９に収納された状態でシールドシェル１１の収納方向端部と当接する突き当て部２１がインナハウジング５とアウタハウジング７とを連結しているので、シールドシェル収納部１９内にインナハウジング５とアウタハウジング７との連結部を設ける必要がない。このため、シールドシェル１１に連結部との干渉を回避させる切欠部を設ける必要がない。
【００３４】
従って、シールドシェル１１の強度を向上することができると共に、複数の切欠部を形成することに起因する内倒れを防止することができ、雌ハウジング９と雄ハウジング２３との嵌合における挿入力を一定に保持することができる。
【００３５】
また、シールドシェル１１に複数の切欠部を設けた場合、シールドシェル１１の帯電時に切欠部が設けられた部分で電流の流れが乱れシールド磁場形成に影響を与えるが、シールドシェル１１に複数の切欠部を設ける必要がないので、電流の整流性を向上することができ、シールド性能を向上することができる。
【００３６】
さらに、雌ハウジング９にはシールドシェル収納部１９の内側に形成され他方の面１７に開口した雄ハウジング収納部２７が形成されているので、インナハウジング５とアウタハウジング７とを連結させる突き当て部２１と雄ハウジング２３とが干渉することがない。
【００３７】
また、雌ハウジング９と雄ハウジング２３とが嵌合した状態で雄側シールドシェル２５と接触するシールドシェル１１の弾性接触部３１が弧状に内側に膨出する形状で形成されているので、シールドシェル１１に片持ち状に形成された接触部よりも雄側シールドシェル２５との接圧を高くすることができ、接触信頼性を向上することができる。
【００３８】
さらに、弾性接触部３１が弧状に形成されているので、凸状に形成された接触部よりも雄側シールドシェル２５との接触面積（接触機会）を多くすることができ、さらに接触信頼性を向上することができる。
【００３９】
なお、本発明の実施の形態に係るシールドコネクタでは、シールドシェルに係止部を避けるための避け部を設けているが、ハウジングと相手ハウジングとの係止部をシールドシェルの外部に設けてシールドシェルの避け部を削除してもよい。この場合、さらにシールドシェルの強度を向上することができる。
【図面の簡単な説明】
【００４０】
【図１】一実施形態のシールドコネクタの分解斜視図である。
【図２】一実施形態のハウジングの斜視図である。
【図３】一実施形態のハウジングの一方の面からの側面図である。
【図４】図３のＡ−Ａ断面図である。
【図５】一実施形態のシールドコネクタの断面図と要部拡大図である。
【図６】一実施形態のハウジングの他方の面からの側面図である。
【図７】図６のＢ−Ｂ断面図と要部拡大図である。
【図８】一実施形態のシールドコネクタの断面図である。
【図９】（ａ）一実施形態のシールドシェルの斜視図である。（ｂ）一実施形態のシールドシェルの側面図である。
【図１０】一実施形態のシールドシェルの帯電時の概略図である。
【符号の説明】
【００４１】
１…シールドコネクタ
３…雌端子（端子）
５…インナハウジング
７…アウタハウジング
９…雌ハウジング（ハウジング）
１１…シールドシェル
１３…一方の面
１５…開口部
１７…他方の面
１９…シールドシェル収納部
２１…突き当て部
２３…雄ハウジング（相手ハウジング）
２５…雄側シールドシェル（相手シールドシェル）
２７…雄ハウジング収納部（相手ハウジング収納部）
２９…切欠部
３１…弾性接触部
【図１】
0005205100.tif 000002
【図２】
0005205100.tif 000003
【図３】
0005205100.tif 000004
【図４】
0005205100.tif 000005
【図５】
0005205100.tif 000006
【図６】
0005205100.tif 000007
【図７】
0005205100.tif 000008
【図８】
0005205100.tif 000009
【図９】
0005205100.tif 000010
【図１０】
0005205100.tif 000011